(57)【特許請求の範囲】
【請求項１】
ライブビュー表示を行うことが可能なデジタルカメラにおいて、
上記ライブビュー表示用の画像を生成する画像生成部と、
上記画像生成部で生成された画像に特殊効果処理を施す特殊効果処理部と、
上記特殊効果処理部に上記特殊効果処理の実行を指示する特殊効果指示部と、
上記画像生成部で生成された画像の一部を拡大処理する拡大処理部と、
上記拡大処理部に上記拡大処理の実行を指示する拡大指示部と、
上記特殊効果処理部によって特殊効果処理された画像のライブビュー表示中に上記拡大指示部によって上記拡大処理の実行が指示された場合には、上記特殊効果処理を中止して上記拡大画像によるライブビュー表示を行い、上記拡大処理部によって拡大処理された画像のライブビュー表示中に上記特殊効果指示部による上記特殊効果処理の実行が指示された場合には、上記特殊効果処理部による上記特殊効果処理を行わせないように制御する切り替え制御部と、
を具備していることを特徴とするデジタルカメラ。
【請求項２】
ライブビュー表示を行うことが可能なデジタルカメラの制御方法において、
特殊効果処理された画像のライブビュー表示中に画像の拡大指示がなされた場合には、特殊効果処理を中止して拡大画像によるライブビュー表示を行い、上記拡大画像のライブビュー表示中に特殊効果処理の実行が指示されても上記拡大画像に特殊効果処理を施さないことを特徴とするデジタルカメラの制御方法。
【発明の詳細な説明】
【技術分野】
【０００１】
本発明はライブビュー表示機能を有するデジタルカメラ及びその制御方法に関する。
【背景技術】
【０００２】
近年のデジタルカメラは、光学ファインダの代わりに液晶モニタを用いた電子ビューファインダ（ライブビュー表示機能等とも呼ばれる）を搭載しているものが多い。この場合、手動による焦点調節時には液晶モニタ上でピントの状態を確認しながら焦点調節を行うことになるが、液晶モニタに通常に表示される画像のみからピントの山を見つけるのは困難である。このため、液晶モニタ上に表示されている画像の一部を拡大することによってピントの山を見つけ易くする提案がなされている（例えば特許文献１）。また、デジタルカメラにおいては、画像処理技術の発展に伴って撮影した画像に各種の特殊効果を施すことができるようになっている。さらに、近年は、液晶モニタ上で実際の効果を確認できるようになっている（例えば特許文献２）。
【先行技術文献】
【特許文献】
【０００３】
【特許文献１】特開平１１−２９８７９１号公報
【特許文献２】特開平１１−１９６３０６号公報
【発明の概要】
【発明が解決しようとする課題】
【０００４】
ここで、特殊効果が施された画像は、拡大した場合であってもピントの山が見つけづらくなってしまう。
本発明は、上記の事情に鑑みてなされたもので、特殊効果を伴う撮影でも手動での焦点調節を容易に行えるデジタルカメラ及びその制御方法を提供することを目的とする。
【課題を解決するための手段】
【０００５】
上記の目的を達成するために、本発明の第１の態様のデジタルカメラは、ライブビュー表示を行うことが可能なデジタルカメラにおいて、上記ライブビュー表示用の画像を生成する画像生成部と、上記画像生成部で生成された画像に特殊効果処理を施す特殊効果処理部と、上記特殊効果処理部に上記特殊効果処理の実行を指示する特殊効果指示部と、上記画像生成部で生成された画像の一部を拡大処理する拡大処理部と、上記拡大処理部に上記拡大処理の実行を指示する拡大指示部と、上記特殊効果処理部によって特殊効果処理された画像のライブビュー表示中に上記拡大指示部によって上記拡大処理の実行が指示された場合には、上記特殊効果処理を中止して上記拡大画像によるライブビュー表示を行い、上記拡大処理部によって拡大処理された画像のライブビュー表示中に上記特殊効果指示部による上記特殊効果処理の実行が指示された場合には、上記特殊効果処理部による上記特殊効果処理を行わせないように制御する切り替え制御部と、を具備していることを特徴とする。
上記の目的を達成するために、本発明の第２の態様のデジタルカメラの制御方法は、ライブビュー表示を行うことが可能なデジタルカメラの制御方法において、特殊効果処理された画像のライブビュー表示中に画像の拡大指示がなされた場合には、特殊効果処理を中止して拡大画像によるライブビュー表示を行い、上記拡大画像のライブビュー表示中に特殊効果処理の実行が指示されても上記拡大画像に特殊効果処理を施さないことを特徴とする。
【発明の効果】
【０００６】
本発明によれば特殊効果を伴う撮影でも手動での焦点調節を容易に行うことができる。
【図面の簡単な説明】
【０００７】
【図１】本発明の一実施形態に係るデジタルカメラの機能ブロック図。
【図２】カメラの具体的な構成を示す図。
【図３】カメラのメイン動作について示すフローチャート。
【図４】ライブビュー表示動作について示すフローチャート。
【発明を実施するための形態】
【０００８】
以下、図面を参照して本発明の実施形態を説明する。  
図１は、本発明の一実施形態に係るデジタルカメラの機能ブロック図である。図１に示すように、本デジタルカメラ（以下、カメラと言う）１００は、画像生成部１０１と、特殊効果処理部１０２と、拡大処理部１０３と、表示部１０４と、表示切り替え部１０５と、切り替え制御部１０６と、拡大指示部１０７と、特殊効果指示部１０８としての機能を有している。画像生成部１０１は、被写体を撮像してライブビュー表示用の画像を生成する。特殊効果処理部１０２は、画像生成部１０１で生成されたライブビュー表示用の画像に対して特殊効果処理（例えば画像をぼかしたり、モノクロ化したりする処理）を施す。拡大処理部１０３は、画像生成部１０１で生成されたライブビュー表示用の画像の一部を拡大する拡大処理を施す。表示部１０４は、画像生成部１０１、特殊効果処理部１０２、拡大処理部１０３の何れかから出力される画像に基づいてライブビュー表示を行う。ここで、ライブビュー表示とは、被写体を連続撮像することにより得られる画像をリアルタイム表示する動作である。表示切り替え部１０５は、切り替え制御部１０６の制御に従って、表示部１０４においてライブビュー表示させる画像の切り替えを行う。切り替え制御部１０６は、拡大指示部１０７、特殊効果指示部１０８からの指示に従って表示切り替え部１０５を制御する。拡大指示部１０７は、拡大ライブビュー表示の実行の指示を与える。ここで、拡大ライブビュー表示とは、ライブビュー表示中の画像の一部を拡大してライブビュー表示する動作である。特殊効果指示部１０８は、特殊効果処理の実行の指示を与える。
【０００９】
このような機能を有するカメラ１００は、拡大指示部１０７、特殊効果指示部１０８からの指示に従って異なる表示状態でのライブビュー表示を行う。具体的には、拡大ライブビュー表示の実行の指示、特殊効果処理の実行の指示の何れもなされていない場合に、切り替え制御部１０６は、画像生成部１０１からの画像を表示部１０４に入力するように表示切り替え部１０５を切り替える。この場合、画像生成部１０１で得られた画像がそのままライブビュー表示される（第１の表示状態）。また、特殊効果処理の実行のみが指示されている場合に、切り替え制御部１０６は、特殊効果処理部１０２からの画像を表示部１０４に入力するように表示切り替え部１０５を切り替える。この場合、特殊効果処理部１０２において特殊効果処理がなされた状態の画像がライブビュー表示される（第２の表示状態）。さらに、拡大ライブビュー表示の実行のみが指示されている場合又は特殊効果処理の実行と拡大ライブビュー表示の実行の両方が指示されている場合に、切り替え制御部１０６は、拡大処理部１０３からの画像を表示部１０４に入力するように表示切り替え部１０５を切り替える。この場合には、仮に特殊効果処理の実行が指示されていても特殊効果処理は施されず、拡大ライブビュー表示のみがなされる（第３の表示状態）。
【００１０】
図２は、図１の機能を有するカメラ１００の具体的な構成を示す図である。図２に示すカメラ１００は、交換レンズ２００とカメラボディ３００とを有するレンズ交換可能なカメラを例示している。
交換レンズ２００は、焦点調節レンズ２０１と、焦点調節操作部材２０２と、絞り機構２０３とを有している。焦点調節レンズ２０１は、図示しない被写体の光束を集光してカメラボディ３００内の撮像素子３１１上に被写体像を結像させる。焦点調節操作部材２０２は、例えばフォーカスリング等であってユーザが焦点調節レンズをその光軸方向に沿って手動で移動させるための手動操作部材である。絞り機構２０３は、焦点調節レンズ２０１を介して撮像素子３１１に入射する光束の光量を調整する。
【００１１】
カメラボディ３００は、撮像素子３１１と、撮像素子駆動回路３１２と、前処理回路３１３と、データバス３１４と、ＳＤＲＡＭ制御回路３１５と、ＳＤＲＡＭ３１６と、画像処理回路３１７と、ビデオ信号出力回路３１８と、液晶モニタ駆動回路３１９と、液晶モニタ３２０と、記録媒体制御回路３２１と、記録媒体３２２と、シーケンスコントローラ（ボディＣＰＵ）３２３と、フラッシュメモリ制御回路３２４と、フラッシュメモリ３２５と、各種スイッチ３２６と、スイッチ検知回路３２７とを有している。撮像素子３１１は、焦点調節レンズ２０１を介して結像された被写体像を光電変換によって電気信号（画像信号）に変換する。撮像素子駆動回路３１２は、ボディＣＰＵ３２３からの指示に従って撮像素子３１１を駆動制御するとともに、撮像素子３１１からの画像信号の読み出しを制御する。前処理回路３１３は、撮像素子駆動回路３１２を介して読み出される画像信号に対してノイズ除去や増幅等のアナログ処理を施し、さらにアナログ処理した画像信号をデジタル信号（画像データ）に変換する処理を行う。データバス３１４は、前処理回路３１３において得られた画像データや画像処理回路３１７で処理される画像データ等の種々のデータを転送するための転送路である。ＳＤＲＡＭ制御回路３１５は、ＳＤＲＡＭ３１６へのデータの書き込み及び読み出しを制御する。ＳＤＲＡＭ３１６は、前処理回路３１３において得られたデータ等を一時格納しておくためのバッファメモリである。画像処理回路３１７は、前処理回路３１３において得られ、ＳＤＲＡＭ３１６に格納されている画像データを読み出して各種の画像処理を施すことでライブビュー表示用の画像や記録用の画像を生成する。さらに、本実施形態において、画像処理回路３１７は、上述した特殊効果処理や拡大処理も行う。したがって、撮像素子３１１、撮像素子駆動回路３１２、前処理回路３１３、画像処理回路３１７によって画像生成部１０１の機能が実現される。また、画像処理回路３１７によって特殊効果処理部１０２、拡大処理部１０３の機能が実現される。
【００１２】
ビデオ信号出力回路３１８は、画像処理回路３１７による処理後の画像データをビデオ信号に変換して液晶モニタ駆動回路３１９に出力する。液晶モニタ駆動回路３１９は、ビデオ信号出力回路３１８から入力されたビデオ信号に従って液晶モニタ３２０を駆動する。液晶モニタ３２０はライブビュー表示用の画像等の各種の画像を表示する。ビデオ信号出力回路３１８、液晶モニタ駆動回路３１９、液晶モニタ３２０によって表示部１０４の機能が実現される。記録媒体制御回路３２１は、記録媒体３２２へのデータの書き込み及び読み出しを制御する。記録媒体３２２は、例えばカメラボディ３００に対して着脱自在に構成されたメモリカードであって画像処理回路３１７において得られた記録用の画像データを記録する。
【００１３】
ボディＣＰＵ３２３は、フラッシュメモリ３２５に記憶されている制御プログラムに従って、カメラボディ３００内の各部の制御を行う。このボディＣＰＵ３２３は、切り替え制御部１０６としての機能を有し、拡大指示部１０７及び特殊効果指示部１０８としての各種スイッチ３２６からの操作信号に従って液晶モニタ３２０において表示させるライブビュー用の画像の切り替えを行う。フラッシュメモリ制御回路３２４は、フラッシュメモリ３２５へのデータの書き込み及び読み出しを制御する。フラッシュメモリ３２５は、ボディＣＰＵ３２３によって読み出される制御プログラムやカメラボディ３００の各種の設定値等を記憶する。各種スイッチ３２６は、カメラボディ３００を操作するための各種の操作部材に応答して状態が切り替わるスイッチである。この各種の操作部材としては、カメラボディ３００の電源をオン又はオフさせるためのパワースイッチ、カメラに撮影実行の指示を与えるためのレリーズボタン、画像再生の指示を与えるための再生ボタン、メニュー画面表示の指示を与えるためのメニューボタン、カメラの各種設定を行うための入力キー、等が挙げられる。また、本実施形態における各種スイッチ３２６には、拡大ライブビュー表示の指示を与えるための拡大ボタン、特殊効果処理の実行を指示するための特殊効果処理ボタンも含まれている。スイッチ検知回路３２７は、各種スイッチ３２６の操作状態を検知し、検知結果をボディＣＰＵ３２３に通知する回路である。スイッチ検知回路３２７を介して操作部材の操作が検知された場合に、ボディＣＰＵ３２３は、操作部材の操作内容に応じた制御を実行する。
【００１４】
以下、本実施形態におけるデジタルカメラの制御方法について図３、図４を参照して説明する。図３は、本実施形態におけるカメラのメイン動作について示すフローチャートである。例えばカメラボディ３００に図示しない電池が装填されたときに図３の処理が開始される。ボディＣＰＵ３２３は、まず、スイッチ検知回路３２７の出力から、ユーザの操作によってパワースイッチがオンされたか否かを判定する（Ｓ１）。パワースイッチがオンされていない場合には本カメラの状態がスリープ状態となる。また、パワースイッチがオンである場合、若しくはスリープ状態においてパワースイッチがオンされた場合に、ボディＣＰＵ３２３はライブビュー表示動作を開始する（Ｓ２）。このライブビュー表示動作については後述する。ライブビュー表示動作の後、ボディＣＰＵ３２３は、ユーザの再生ボタンの操作によって再生スイッチがオンしたか否かを判定する（Ｓ３）。再生スイッチがオンした場合に、ボディＣＰＵ３２３は、画像データの再生動作を制御する（Ｓ４）。再生動作においては、液晶モニタ３２０に、記録媒体３２２に記録されている画像データの一覧を表示され、この一覧表示において、ユーザが所望の画像を選択すると、その選択された画像データが再生されて液晶モニタ３２０に画像表示がなされる。Ｓ２又はＳ４の後、ボディＣＰＵ３２３は、ユーザのメニューボタンの操作によってメニュースイッチがオンしたか否かを判定する（Ｓ５）。メニュースイッチがオンした場合に、ボディＣＰＵ３２３は、メニュー設定動作を開始する（Ｓ６）。メニュー設定動作においては、例えば、液晶モニタ駆動回路２２２を制御して液晶モニタ２２３にメニュー画面を表示させ、このメニュー画面において、ユーザが所望の項目を選択すると、その項目に対応したカメラ１００の設定が行われる。なお、特殊効果処理の設定をメニュー画面上で行えるようにしても良い。Ｓ５又はＳ６の後、ボディＣＰＵ３２３は、ユーザのレリーズボタンの操作によって１Ｒスイッチがオンしたか否かを判定する（Ｓ７）。ステップＳ７の判定において、１Ｒスイッチがオンした場合に、ボディＣＰＵ３２３は、撮影動作を開始する（Ｓ８）。撮影動作においては、撮像素子３１１の露光によって得られた画像データを、画像処理回路３１７において処理した後、記録媒体３２２に記録する。Ｓ７又はＳ８の後、ボディＣＰＵ３２３は、パワースイッチがオンしているか否かを判定する（Ｓ９）。パワースイッチがオンのままである場合には処理がＳ２に移行する。パワースイッチがオフである場合に、ボディＣＰＵ３２３は、交換レンズ２００への電源供給を停止した後、カメラボディ３００の状態をスリープ状態に移行させる。
【００１５】
図４は、ライブビュー表示動作について示すフローチャートである。ライブビュー表示動作の開始時に、ボディＣＰＵ３２３は、撮像素子駆動回路３１２を制御して撮像素子３１１で得られる撮像画像を取り込む（Ｓ１１）。その後、ボディＣＰＵ３２３は、Ｓ１１の取り込みによってＳＤＲＡＭ３１６に記憶された撮像画像を画像処理回路３１７において処理することによってライブビュー表示用の画像を生成する（Ｓ１２）。ここでの処理は例えばホワイトバランス補正処理、間引き（縮小）処理等である。ライブビュー表示用の画像の生成後、ボディＣＰＵ３２３は、ユーザの拡大ボタンの操作によって拡大スイッチがオンしたか否かを判定する（Ｓ１３）。拡大スイッチがオンしていない場合に、ボディＣＰＵ３２３は、ユーザの特殊効果処理ボタンの操作又はメイン画面上での操作によって特殊効果指示がなされたか否かを判定する（Ｓ１４）。特殊効果指示がなされた場合に、ボディＣＰＵ３２３は、Ｓ１２で生成したライブビュー表示用の画像に対してさらに特殊効果処理を施すように画像処理回路３１７に指示を送る（Ｓ１５）。その後、ボディＣＰＵ３２３は、液晶モニタ駆動回路３１９にライブビュー表示の実行を指示する（Ｓ１６）。これを受けて、液晶モニタ駆動回路３１９は、ビデオ信号出力回路３１８を介して画像処理回路３１７で処理された画像をＳＤＲＡＭ３１６から取り込み、取り込んだ画像を液晶モニタ３２０に出力する。これにより、特殊効果処理がなされた状態のライブビュー表示用の画像に従ってライブビュー表示が行われる。なお、ライブビュー表示の実行後は、図４の処理が終了されて図３のＳ３以後の処理が実行される。また、Ｓ１４において特殊効果指示がなされていない場合に、ボディＣＰＵ３２３は、Ｓ１５の処理をスキップしてＳ１６のライブビュー表示を行う。これにより、撮像素子３１１を介して得られたライブビュー表示用の画像がそのままライブビュー表示される。
【００１６】
Ｓ１３において、拡大スイッチがオンされた場合に、ボディＣＰＵ３２３は、特殊効果指示がなされていたか否かを判定する（Ｓ１７）。特殊効果指示がなされていた場合に、ボディＣＰＵ３２３は、特殊効果処理を中止するように画像処理回路３１７に指示を送る（Ｓ１８）。その後、ボディＣＰＵ３２３は、Ｓ１２で生成したライブビュー表示用の画像の一部（この一部は例えばユーザが自由に設定できるようにしても良いし、固定の部分としても良い）を拡大するように画像処理回路３１７に指示を送る（Ｓ１９）。その後、ボディＣＰＵ３２３は、液晶モニタ駆動回路３１９にライブビュー表示の実行を指示する。これにより、撮像素子３１１を介して得られたライブビュー表示用の画像の一部が拡大された状態でライブビュー表示が行われる。また、特殊効果指示がなされていない場合に、ボディＣＰＵ３２３は、Ｓ１８の処理をスキップしてＳ１９の拡大指示を行う。即ち、本実施形態において拡大スイッチがオンされた場合には、常に特殊効果処理がなされない状態での拡大ライブビュー表示が行われる。
【００１７】
以上説明したように、本実施形態によれば、拡大スイッチがオンしている間は特殊効果処理を中止させるようにしている。このため、ユーザは、手動での焦点調節時等の拡大ライブビュー表示時において、特殊効果処理の施されていない状態のライブビュー画像を液晶モニタ上で観察することが可能である。これにより、ユーザは、ピントの山を容易に見つけることが可能である。
【００１８】
ここで、上述の例では、拡大スイッチがオンとなっている間は拡大ライブビュー表示がなされるようになっている。拡大スイッチのオン・オフは、例えば拡大ボタンが押されているか否かに応じて切り替えるようにしても良いし、拡大ボタンが押される毎に切り替えるようにしても良い。
【００１９】
また、上述の例では、手動焦点調節に係る構成のみを図示しているが、自動焦点調節（ＡＦ）に係る構成を持たせるようにしても良いことは言うまでもない。
以上実施形態に基づいて本発明を説明したが、本発明は上述した実施形態に限定されるものではなく、本発明の要旨の範囲内で種々の変形や応用が可能なことは勿論である。
【００２０】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００２１】
１００…デジタルカメラ（カメラ）、１０１…画像生成部、１０２…特殊効果処理部、１０３…拡大処理部、１０４…表示部、１０６…制御部、１０７…拡大指示部、１０８…特殊効果指示部
【図１】
0005484958.tif 000002
【図２】
0005484958.tif 000003
【図３】
0005484958.tif 000004
【図４】
0005484958.tif 000005